(57)【要約】      （修正有）【課題】被検体の体内検査等に用いられ、体外に排出されたカプセル型医療器具を容易かつ確実に回収でき、さらに排泄物は水洗によって除去できるカプセル型医療器具回収方法および回収器具を提供する。【解決手段】リング状構造物１よりなる便座設置部と、有底筒状のネット状袋２からなり、ネット状袋の開放部分がリング状構造物と固着される構造を有し、排泄物と混合したカプセル型医療器具をネット状袋締結部３に捕捉する。【選択図】図２
2016002363.tif 000002
【特許請求の範囲】
【請求項１】
被検体内を通過して前記被検体の体内情報あるいは体内物質を収集するカプセル型医療器具を回収するためのネット状袋と、便座に設置され、前記ネット状袋の開口部（締結されていない方の端）と接着したリング状構造物とで構成されることを特徴とするカプセル型医療器具回収器具。
【請求項２】
ネット状袋の目開きが0.1ミリ〜20ミリであることを特徴とする請求項１に記載のカプセル型医療器具回収器具。
【請求項３】
ネット状袋の材質がポリエチレン、ポリプロピレン、ポリスチレン、ポリエチレンテレフタレート、ポリブチレンテレフタレート、ナイロン、アラミド、アクリル、ポリ塩化ビニル、エチレン・酢酸ビニル共重合体、アクリロニトリル・ブタジエン・スチレン共重体、ポリフェニレンサルファイド、ポリアセタール、ポリカーボネート、フェノール樹脂、ポリ乳酸、ポリカプロラクトン、ポリブチレンサクシネート、ポリ酢酸ビニル、天然ゴム、ポリブタジエン、ポリテトラフルオロエチレン、シリコン樹脂、アクリロニトリル・1,3-ブタジエン共重合体、ポリウレタン、ポリイソブチレン、クロロプレンゴムのうち、少なくともいずれか1種類以上を含有することを特徴とする請求項１に記載のカプセル型医療器具回収器具。
【請求項４】
ネット状袋の糸の太さが50マイクロメートルから3ミリメートルであることを特徴とする請求項１に記載のカプセル型医療器具回収器具。
【請求項５】
リング状構造物の材質が紙、段ボール、ポリエチレン、ポリプロピレン、ポリスチレン、ポリエチレンテレフタレート、ポリブチレンテレフタレート、ナイロン、アラミド、アクリル、ポリ塩化ビニル、エチレン・酢酸ビニル共重合体、アクリロニトリル・ブタジエン・スチレン共重体、ポリフェニレンサルファイド、ポリアセタール、ポリカーボネート、フェノール樹脂、ポリ乳酸、ポリカプロラクトン、ポリブチレンサクシネート、ポリ酢酸ビニル、天然ゴム、ポリブタジエン、ポリテトラフルオロエチレン、シリコン樹脂、アクリロニトリル・1,3-ブタジエン共重合体、ポリウレタン、ポリイソブチレン、クロロプレンゴムのうち、少なくともいずれか1種類以上を含有することを特徴とする請求項１に記載のカプセル型医療器具回収器具。
【請求項６】
ネット状袋とリング状構造物が接着テープ、接着剤、熱溶着、超音波溶着のうち少なくともいずれか1種以上の方法によって接着されていることを特徴とする請求項１に記載のカプセル型医療器具回収器具。
【請求項７】
ネット状袋のうち、リング状構造物と接着した一端とは対向してある他端が熱溶着、超音波溶着、結束部材を用いたネット状構造物の結束のうち少なくとも1種以上の方法によって締結されることで袋形状となったことを特徴とする請求項１に記載のカプセル型医療器具回収器具。
【請求項８】
ネット状袋およびリング状構造物の内部、表面あるいはその両方に抗菌剤を存在させることにより、抗菌性を付与した請求項１に記載のカプセル型医療器具回収器具。
【請求項９】
前記抗菌剤が銀系無機抗菌剤、亜鉛系無機抗菌剤、銅系無機抗菌剤、二酸化チタン、酸化カルシウム、酸化マグネシウム、有機系第4級アンモニウム塩、ヒノキチオール、ゲンノショウコ抽出液、ササ抽出液、ヨモギ抽出液、緑茶抽出液、焼成貝殻カルシウム、エタノールのうちいずれか１種類以上を含有する請求項１に記載のカプセル型医療器具回収器具。
【発明の詳細な説明】
【技術分野】
【０００１】
本発明は、被検体の体内検査等に用いられ、体外に排出されるカプセル型医療器具の捕捉方法に関するものである。より具体的には、カプセル型医療器具を、プラスチックネットを用いて簡便かつ確実に捕捉する技術に関する。
【背景技術】
【０００２】
（カプセル型医療器具を用いた体内検査について）
CMOSやCCDで構成された小型カメラや無線装置を内蔵したカプセル型医療器具は、被験者の口から飲み込まれた後に消化管を通過しながらその内部を撮影し、肛門から排出される。被検者が内服したカプセル型医療器具は、非侵襲的に消化管内を撮影できるため、従来の胃カメラ等の内視鏡と比較して簡便で、被験者への負担も少ないというメリットがある。なお、小型カメラによって撮影された画像データは体外に送信され、被検者が装着するベストに内蔵された受信機で受信される。
【０００３】
また近年では、例えば体液を採取したり、臓器内のペーハー（pH）を検出したりするカプセル型医療器具も考案されている。このようなカプセル型医療器具では、検出した体内情報を取得するために、検査が終了し被検体の外部に排出されるカプセル内視鏡を回収する必要がある。
【０００４】
（現状のカプセル型医療器具回収方法）
特許文献１では、ロッドの先端に磁石が設けられてなるカプセル型医療器具の回収具が提案されている。被検者は、排便後に、この回収具を使用して排泄物を探索し、その先端に設けられている磁石で排泄物中のカプセル内視鏡を磁気的に吸引して回収する。
【０００５】
また特許文献２では、便器に回収ネットを設置し、捕捉された排泄物とカプセル型医療器具の合計重量を測定する測定手段と、あらかじめ測定されたカプセル型医療器具の重量に基づき回収ネットに捕捉されたカプセル型医療器具と排泄物の合計重量が所定の値以下になるまで洗浄水を噴出させることによって、カプセル型医療器具を洗浄した後、回収する方法が提案されている。
【先行技術文献】
【特許文献】
【０００６】
【特許文献１】特開２００４−２６７３５０号公報
【特許文献２】特開２０１０−２４６７０３号公報
【発明の概要】
【発明が解決しようとする課題】
【０００７】
しかしながら、特許文献１のように磁石でカプセル型医療器具を回収しただけでは付着した排泄物を除去することが出来ない。また、排泄物の中からカプセル型医療器具を探索するのに時間と労力がかかるという課題もある。
【０００８】
また、特許文献２のように、カプセル型医療器具の回収のため、便器に回収ネット、洗浄ノズルなどを別途設けることは、トイレの大型化による製造コストや原材料コスト増大だけでなく、トイレ操作が煩雑になるという懸念がある。
【０００９】
本発明は、上記事情に鑑み、これまでに有限会社高橋製作所および群馬県との共同研究成果によって得てきたプラスチックネット製造に関するノウハウを活かし、簡便かつ効率的にカプセル型医療器具を回収するためのカプセル型医療器具回収装置を提供することを目的とするものである。
【課題を解決するための手段】
【００１０】
すなわち本発明は、（１）被検体内を通過して前記被検体の体内情報あるいは体内物質を収集するカプセル型医療器具を回収するためのネット状袋と、便座に設置され、前記ネット状袋の開口部（締結されていない方の端）と接着したリング状構造物とで構成されることを特徴とするカプセル型医療器具回収器具であり、（２）ネット状袋の目開きが0.1ミリ〜20ミリであることを特徴とする（１）に記載のカプセル型医療器具回収器具であり、（３）ネット状袋の材質がポリエチレン、ポリプロピレン、ポリスチレン、ポリエチレンテレフタレート、ポリブチレンテレフタレート、ナイロン、アラミド、アクリル、ポリ塩化ビニル、エチレン・酢酸ビニル共重合体、アクリロニトリル・ブタジエン・スチレン共重体、ポリフェニレンサルファイド、ポリアセタール、ポリカーボネート、フェノール樹脂、ポリ乳酸、ポリカプロラクトン、ポリブチレンサクシネート、ポリ酢酸ビニル、天然ゴム、ポリブタジエン、ポリテトラフルオロエチレン、シリコン樹脂、アクリロニトリル・1,3-ブタジエン共重合体、ポリウレタン、ポリイソブチレン、クロロプレンゴムのうち、少なくともいずれか1種類以上を含有することを特徴とする（１）に記載のカプセル型医療器具回収器具であり、（４）ネット状袋の糸の太さが50マイクロメートルから3ミリメートルであることを特徴とする（１）に記載のカプセル型医療器具回収器具であり、（５）リング状構造物の材質が紙、段ボール、ポリエチレン、ポリプロピレン、ポリスチレン、ポリエチレンテレフタレート、ポリブチレンテレフタレート、ナイロン、アラミド、アクリル、ポリ塩化ビニル、エチレン・酢酸ビニル共重合体、アクリロニトリル・ブタジエン・スチレン共重体、ポリフェニレンサルファイド、ポリアセタール、ポリカーボネート、フェノール樹脂、ポリ乳酸、ポリカプロラクトン、ポリブチレンサクシネート、ポリ酢酸ビニル、天然ゴム、ポリブタジエン、ポリテトラフルオロエチレン、シリコン樹脂、アクリロニトリル・1,3-ブタジエン共重合体、ポリウレタン、ポリイソブチレン、クロロプレンゴムのうち、少なくともいずれか1種類以上を含有することを特徴とする（１）に記載のカプセル型医療器具回収器具であり、（６）ネット状袋とリング状構造物が接着テープ、接着剤、熱溶着、超音波溶着のうち少なくともいずれか1種以上の方法によって接着されていることを特徴とする（１）に記載のカプセル型医療器具回収器具であり、（７）ネット状袋のうち、リング状構造物と接着した一端とは対向してある他端が熱溶着、超音波溶着、結束部材を用いたネット状構造物の結束のうち少なくとも1種以上の方法によって締結されることで袋形状となったことを特徴とする（１）に記載のカプセル型医療器具回収器具であり、（８）ネット状袋およびリング状構造物の内部もしくは表面あるいはその両方に抗菌剤を存在させることにより、抗菌性、防虫性を持たせた（１）に記載のカプセル型医療器具回収器具であり、（９）前記抗菌剤が銀系無機抗菌剤、亜鉛系無機抗菌剤、銅系無機抗菌剤、二酸化チタン、酸化カルシウム、酸化マグネシウム、有機系第4級アンモニウム塩、ヒノキチオール、ゲンノショウコ抽出液、ササ抽出液、ヨモギ抽出液、緑茶抽出液、焼成貝殻カルシウム、エタノールのうちいずれか１種類以上を含有する（１）に記載のカプセル型医療器具回収器具であることを特徴としている。
【発明の効果】
【００１１】
図１に本発明のカプセル型医療器具回収器具を上から見た模式図を、図２に本発明のカプセル型医療器具回収器具を横から見た模式図を示す。リング状構造物１よりなる便座設置部を便座に乗せ、その上に被験者が座ることによってカプセル型医療器具回収器具が容易に固定化される。さらに排泄物と混合したカプセル型医療器具は、ネット状袋２に捕捉される。この時、自重によってネット状袋締結部３付近まで落下しやすいようにネット状袋を広げてもよい。ネット状袋締結部３付近は便器の排水口付近の水たまりに接触しており、排泄物とカプセル型医療器具を当該水たまりに浸漬させることができる。この状態で水洗することにより、排泄物はネット状袋の目開きを通じて除去され、カプセル型医療器具のみがネット状袋内に留まり、容易に回収できる。
【発明を実施するための形態】
【００１２】
本発明における好適な実施の形態について説明する。なお、以下に説明する実施の形態は、特許請求の範囲に記載された本発明の内容を限定するものではない。また、以下に説明される構成の全てが、本発明の必須要件であるとは限らない。
【００１３】
（ネット状構造物の製造方法）
カプセル型医療器具回収器具に用いられるネット状袋を作製するため、まず筒型のネット状構造物を作製する必要がある。この筒型ネット状構造物を作製する方法としては、モノフィラメント糸をメリヤス編みする方法（メリヤス編みネット製造方法）、樹脂を押出成形機によって同時に糸状に押し出し、回転を加えてネット状に成形する方法（押出ネット製造方法）が好ましく、押出ネット製造方法がより好ましい。押出ネット製造方法はメリヤス編みネット製造方法と比較して製造速度が速く、低コストであるためである。
【００１４】
（ネット状袋の目開き）
カプセル型医療器具回収器具に用いられるネット状袋の目開きは0.1ミリ〜20ミリであることが好ましく、2ミリ〜10ミリであることがより好ましく、5ミリ〜7.5ミリであることが最も好ましい。これは、目開きが0.1ミリより小さい場合には、ネット状袋の代わりに織物、編物や不織布等使用した場合と同様に、水洗時に排泄物がネット状袋の網目を通過するのが困難であり、また20ミリよりも大きい場合にはカプセル型医療器具がネット状袋の網目を通過してしまい、便器の排水溝へ流れ出すことによって紛失する懸念があるためである。
【００１５】
（ネット状袋を構成する糸の太さ）
カプセル型医療器具回収器具に用いられるネット状袋を構成する糸の太さは50マイクロメートルから3ミリメートルであることが好ましく、500マイクロメートルから1.5ミリメートであることがより好ましく、750マイクロメートルから1ミリメートルであることが最も好ましい。糸の太さが50マイクロメートルよりも細い場合にはネット状袋の破断強度が低く、排泄物とカプセル型医療器具をネット状袋に受けた際に破断する懸念や、ネット状袋を製造中に糸切れが発生しやすくなり、歩留まり率が低下する懸念がある。まら、糸の太さが3ミリメートルより太い場合にはネット状袋の空隙率が低くなり、排泄物の除去が困難になる懸念があるためである。
【００１６】
（ネット状袋の材質）
カプセル型医療器具回収器具に用いられるネット状袋の材質は、ポリエチレン、ポリプロピレン、ポリスチレン、ポリエチレンテレフタレート、ポリブチレンテレフタレート、ナイロン、アラミド、アクリル、ポリ塩化ビニル、エチレン・酢酸ビニル共重合体、アクリロニトリル・ブタジエン・スチレン共重体、ポリフェニレンサルファイド、ポリアセタール、ポリカーボネート、フェノール樹脂、ポリ乳酸、ポリカプロラクトン、ポリブチレンサクシネート、ポリ酢酸ビニル、天然ゴム、ポリブタジエン、ポリテトラフルオロエチレン、シリコン樹脂、アクリロニトリル・1,3-ブタジエン共重合体、ポリウレタン、ポリイソブチレン、クロロプレンゴムのうち、少なくともいずれか1種類以上を含有することが好ましく、これらの中では加水分解せず、かつ比較的安価で成形性に優れるポリエチレン、ポリプロピレン、ポリスチレンといったポリオレフィン系材料を用いるのがより好ましい。
【００１７】
（ネット状袋作製時の溶融温度）
カプセル型医療器具回収器具に用いられるネット状袋の成形時において、樹脂の溶融温度は120℃から350℃が好ましく、150℃から300℃がより好ましく180℃から270℃が最も好ましい。120℃より低い温度ではネットの材質として用いられる樹脂が十分に溶融せず成形が困難になり、一方350℃より高い温度では樹脂の熱分解が起こるため、ネット状袋の強度が低下する懸念があるためである。
【００１８】
（ネット状袋を構成する糸の表面粗さ）
ネット状袋の表面はできる限り平滑であるほうが好ましい。凹凸がある場合には排泄物がネット上袋の表面に付着しやすく、かつ除去するのが困難になる懸念があるためである。
【００１９】
（リング状構造物の材質）
カプセル型医療器具回収器具に用いられるリング状構造物の材質は、紙、段ボール、ポリエチレン、ポリプロピレン、ポリスチレン、ポリエチレンテレフタレート、ポリブチレンテレフタレート、ナイロン、アラミド、アクリル、ポリ塩化ビニル、エチレン・酢酸ビニル共重合体、アクリロニトリル・ブタジエン・スチレン共重体、ポリフェニレンサルファイド、ポリアセタール、ポリカーボネート、フェノール樹脂、ポリ乳酸、ポリカプロラクトン、ポリブチレンサクシネート、ポリ酢酸ビニル、天然ゴム、ポリブタジエン、ポリテトラフルオロエチレン、シリコン樹脂、アクリロニトリル・1,3-ブタジエン共重合体、ポリウレタン、ポリイソブチレン、クロロプレンゴムのうち、少なくともいずれか1種類以上を含有することが好ましい。このうち、紙や段ボールがより好ましい。これは、形状が変形しにくく、かつ同じ厚みや形状の樹脂と比較して折りたたみ易く、コンパクトに収納できるためである。
【００２０】
（リング状構造物の形状）
カプセル型医療器具回収器具に用いられるリング状構造物の形状は円形、楕円形、三角形、四角形など、便座の形状に合わせて適宜変更することが可能である。
【００２１】
（リング状構造物の厚み）
カプセル型医療器具回収器具に用いられるリング状構造物の厚みは0.1mmから5mmが好ましく、0.3mmから3mmがより好ましく、0.5mmから1.5mmが最も好ましい。0.1mmより薄いとリング状構造物が変形しやすく、便座に設置するのが困難になること、使用中に破断することなどの懸念がある。また、5mmより厚い場合には重量が大きくなり操作性が低下すること、便座が高くなるため、特に高齢な被験者およびその介護者にとっては労力的に負担が大きくなるためである。
【００２２】
（ネット状袋とリング状構造物との接着方法）
カプセル型医療器具回収器具に用いられるネット状袋とリング状構造物が接着テープ、接着剤、熱溶着、超音波溶着の方法で接着させることが可能であるが、接着テープや接着剤を用いて接着させることがより好ましい。熱溶着、超音波溶着はリング状構造物の材質とネット状袋の材質の親和性（相溶性）が低い場合には接着強度も低く、剥離する懸念があるためである。
【００２３】
（ネット状袋の締結方法）
カプセル型医療器具回収器具に用いられるネット状袋のうち、リング状構造物と接着した一端と対向してある他端の締結には熱溶着、超音波溶着、結束部材を用いたネット状構造物の結束による方法が可能であるが、熱溶着や超音波溶着による締結がより好ましい。これは、インシュロックなどの結束部材を用いた締結方法は、熱溶着や超音波溶着による締結方法と比較して複雑であるため歩留まり率の低下による製造コストや、結束部材の調達コストが嵩むという課題があるためである。
【００２４】
（抗菌剤の種類）
カプセル型医療器具回収器具のネット状袋およびリング状構造物の表面に抗菌剤を固着させる、もしくはネット状袋およびリング状構造物に抗菌剤を混練させることにより抗菌防臭性を付与することも可能である。この時、抗菌剤としては銀系無機抗菌剤、亜鉛系無機抗菌剤、銅系無機抗菌剤、二酸化チタン、酸化カルシウム、酸化マグネシウム、有機系第4級アンモニウム塩、ヒノキチオール、ゲンノショウコ抽出液、ササ抽出液、ヨモギ抽出液、緑茶抽出液、焼成貝殻カルシウム、エタノールのうち、少なくともいずれか1種類以上を含有することが好ましく、銀系無機抗菌剤、亜鉛系無機抗菌剤、銅系無機抗菌剤がより好ましい。これらの金属無機抗菌剤は抗菌効果が高く、樹脂中に容易に混練することができ、効果の持続性も優れるためである。
【００２５】
（ネット状袋およびリング状構造物の着色）
本発明のカプセル型医療器具回収器具を構成するネット状袋やリング状構造物は顔料や染料を用いて任意の色に着色することも可能である。着色方法としては、浸染や捺染によってネット状袋やリング状構造物表面に着色させることが挙げられる。また、ネット状袋やリング状構造物の材質として樹脂を使用する場合には、顔料あるいは染料を樹脂中に混練させることによって着色しても良い。
【００２６】
以下に、詳細な実施例を開示する。これは本発明の主旨を正確に示すことを目的とするものであり、本発明を限定的に捉えることがあってはならない。
【実施例１】
【００２７】
（ネット状袋の製造）
ポリエチレン(以下、PE)ペレット(東ソーニッケミ製、ペトロセン360)、エチレン酢ビ共重合体(以下、EVA)ペレット(東ソーニッケミ製、ウルトラセン514)、スリップ材(東ソーニッケミ製、SB-14)をそれぞれ重量比45:45:10の割合で混合し、押出成形機(関東エンジニアリング製、MODEL E50-25BB)を用いて、これをネット状に成形した。図３に、押出成形機の模式図を示す。押出成形機の押出部分４(4a〜4d)、ダイ部分５(5a)および回転ノズル部分６(6a)の温度設定は、4a:185℃、4b:235 ℃、4c:245 ℃、4d:250 ℃、5a:270 ℃および6a:265 ℃とした。ホッパー７よりPEペレットを投入し、回転ノズル部分６から成形品が出てきた直後に25 ℃の水槽に入れて冷却し、巻き取り機を用いて巻き取り速度9m/sで巻き取った。この時、紡糸口金には直径0.5mmのホールが280個あり、その回転速度は42rpmとした。また、紡糸速度は19.8g/sとした。その後、ネットを長さ方向にして120cm毎にヒートカットした。これにより、図４に示すような長さ120cmの両端が熱溶着によって締結されたネット状構造物となる。その後、このネット状構造物を中心で裁断することで図５に示すようなネット状袋を製造した。なお、この時のネット状袋の幅は5cmであった。
【００２８】
（リング状構造物の製造）
本実施例におけるリング状構造物の製造工程を図６に示す。すなわち、厚み1mmの紙を長半径21cm、短半径17.5cmの楕円形状となるように裁断した。さらに、その内側を長半径19cm、短半径15.5cmの楕円形に切り取ることでリング状構造物を作製した。
【００２９】
（ネット状袋とリング状構造物との接着）
前述の通りに作製したネット状袋の、熱溶着によって締結されていない方の端を広げ、リング状構造物の縁の部分に沿って接着剤（東亜合成製  アロンアルファ一般用）で接着させた。その後、室温にて30分間静置して接着剤を硬化させ、ネット状袋とリング状構造物とを固定化した。以上の方法によって図１および図２に示すようなカプセル型医療器具回収器具を作製した。なお、リング状構造物の縁付近におけるネット状袋の目開きは6mmであった。
【００３０】
（カプセル型医療器具回収器具の実証実験）
本実施例で作製したカプセル型医療器具回収器具の中にカプセル型医療器具を模した外径11mm、長さ26mmのカプセル（以下、模擬カプセル）をネット状袋の締結部付近まで入れて、リング状構造物部分をトイレ（TOTO製、ウォームレットS TCF-108）の便座に設置し、模擬カプセルが便器の水たまりに浸漬された状態で水洗操作を行ったところ、ネット状袋の破損は見られず、模擬カプセルがネット状袋の目開きを通過することもなかった。さらに、通水性も良好で、水がネット状袋内に溜まることも無かった。以上のことから、本実施例で作製したカプセル型医療器具回収器具の評価は適であった。
【実施例２】
【００３１】
押出成形機の押出部分４(4a〜4d)、ダイ部分５(5a)および回転ノズル部分６(6a)の温度設定は、4a:185℃、4b:240℃、4c:250 ℃、4d:255 ℃、5a:280 ℃および6a:270 ℃とした以外は実施例１と同様の方法でネット状袋を作製した。また、リング状構造物の作製およびネット状袋とリング状構造物との接着についても実施例１と同様の方法で行った。
【００３２】
（カプセル型医療器具回収器具の実証実験）
本実施例で作製したカプセル型医療器具回収器具を使用する以外は実施例１と同様の方法で実証実験を行ったところ、ネット状袋の破損は見られず、模擬カプセルがネット状袋の目開きを通過することもなかった。さらに、通水性も良好で、水がネット状袋内に溜まることも無かった。以上のことから、本実施例で作製したカプセル型医療器具回収器具の評価は適であった。
【実施例３】
【００３３】
ネット状袋は実施例１と同様で作製した。また、リング状構造物の作製およびネット状袋とリング状構造物との接着についても実施例１と同様の方法で行った。
【００３４】
（リング状構造物の抗菌加工方法）
カプセル型医療器具回収器具を使用するリング状構造物に対して、専用のスプレーボトルに入った銀、チタン、亜鉛を含有した抗菌剤（(有)有美製  抗菌クラスターZAT）を万遍なく吹き付けた。
【００３５】
（カプセル型医療器具回収器具の実証実験）
本実施例で作製したカプセル型医療器具回収器具を使用する以外は実施例１と同様の方法で実証実験を行ったところ、ネット状袋の破損は見られず、模擬カプセルがネット状袋の目開きを通過することもなかった。さらに、通水性も良好で、水がネット状袋内に溜まることも無かった。
【００３６】
（抗菌加工を施したリング状構造物の抗菌性評価）
上記抗菌剤を吹き付けたリング状構造物を5cm四方の大きさに裁断した。その後、抗菌剤を吹き付けた面について、JIS Z2801「抗菌加工製品-抗菌性試験方法・抗菌効果」定量試験に準拠して抗菌性評価を行った。また、対象菌種には黄色ブドウ球菌(NBRC 12372)および大腸菌(NBRC 3972)を使用した。また、無加工試料には、上記抗菌剤を吹き付けていないリング状構造物を5cm四方の大きさに裁断したものを使用した。
【００３７】
抗菌加工を施したリング状構造物の抗菌性試験結果を表１に示す。黄色ブドウ球菌および大腸菌に対する抗菌活性置はそれぞれ3.5および4.7だった。この結果は、(一社)抗菌製品技術協議会における抗菌加工製品（繊維製品以外の製品）についてのマーク（SIAAマーク）表示の認証基準を満たしている。以上のことから、本実施例で作製したカプセル型医療器具回収器具の評価は適であった。
【００３８】
【表１】
2016002363.tif 000003
【比較例１】
【００３９】
（織物袋の作製）
堅牢度試験用添付白布（日本規格協会製、綿）を、図７に示す様な工程によって、断面が長半径20cm、短半径16.5cmの楕円である長さ60cmの筒状に縫製し、さらに一端を結束部材（ヘラマンタイトン製結束バンド、AB100-100）を用いて締結した。このようにして織物袋を作製した。
【００４０】
（リング状構造物の製造）
リング状構造物は実施例1と同様の方法で作製した。
【００４１】
（織物袋とリング状構造物との接着）
前述の通りに作製した織物袋の、結束部材によって締結されていない方の端をリング状構造物の縁の部分に沿って接着剤（東亜合成製  アロンアルファ一般用）で接着させた。その後、室温にて30分間静置して接着剤を硬化させ、織物袋とリング状構造物とを固定化した。以上の方法によってカプセル型医療器具回収器具を作製した。
【００４２】
（カプセル型医療器具回収器具の実証実験）
本比較例で作製したカプセル型医療器具回収器具を使用する以外は実施例１と同様の方法で実証実験を行ったところ、織物状袋の破損は見られず、模擬カプセルが織物袋の目開きを通過することもなかったものの、通水性が悪く、水が袋内から抜けるのに長時間を要した。このため、本比較例で作製したカプセル型医療器具回収器具では、排泄物とカプセル型医療器具との分離が困難となることが考えられた。以上のことから、本比較例で作製したカプセル型医療器具回収器具の評価は不適であった。
【００４３】
実施例１〜３および比較例１で行った実証実験結果および実施例３で行った抗菌性試験結果を表２にまとめて示す。
【００４４】
【表２】
2016002363.tif 000004
【産業上の利用可能性】
【００４５】
本発明のカプセル型医療器具回収器具を用いることにより、容易かつ衛生的にカプセル型医療器具を回収することが可能となる。
【図面の簡単な説明】
【００４６】
【図１】カプセル型医療器具回収器具を上から見た模式図である。
【図２】カプセル型医療器具回収器具を横から見た模式図である。
【図３】ネット製造に用いた押出成形機の模式図である。
【図４】両端が熱溶着によって締結されたネット状構造物の模式図である。
【図５】両端が熱溶着によって締結されたネット状構造物を中心部分で裁断し、ネット状袋としたものの模式図である。
【図６】リング状構造物の製造工程を模式的に表した図である。
【図７】織物袋の製造工程を模式的に表した図である。
【符号の説明】
【００４７】
1…リング状構造物よりなる便座設置部、2…ネット状袋、3…ネット状袋締結部、4…押出成形機押出部分、4a〜4d…押出部分の温度制御部5…ダイヘッド部分、5a…ダイヘッドの温度制御部6…ダイス部分、6a…ダイス部分の温度制御部、7…樹脂投入ホッパー、8…プラスチックネット、9…不織布、10…縫製部分、11…結束部材
【図１】
2016002363.tif 000005
【図２】
2016002363.tif 000006
【図３】
2016002363.tif 000007
【図４】
2016002363.tif 000008
【図５】
2016002363.tif 000009
【図６】
2016002363.tif 000010
【図７】
2016002363.tif 000011